(57)【要約】【課題】初期の二酸化塩素ガスの急激な発生を抑制するとともに二酸化塩素ガスの発生を安定して極めて長時間持続させる二酸化塩素ガスの発生方法、二酸化塩素ガス発生用キットおよびゲル状組成物を提供する。【解決手段】二酸化塩素ガスの発生方法は、亜塩素酸塩水性液に、ガス発生剤、炭酸塩および過酸化水素を含むガス発生調整剤、ガス発生調節剤、ならびに吸水性樹脂を含むゲル化活性剤を添加して得られるゲル状組成物３０から、二酸化塩素ガスを持続的に発生させる。【選択図】図１
2019064849.tif 000002
【特許請求の範囲】
【請求項１】
亜塩素酸塩水性液に、ガス発生剤、炭酸塩および過酸化水素を含むガス発生調整剤、ガス発生調節剤、ならびに吸水性樹脂を含むゲル化活性剤を添加して得られるゲル状組成物から、二酸化塩素ガスを持続的に発生させる二酸化塩素ガスの発生方法。
【請求項２】
前記ゲル状組成物は、前記二酸化塩素ガスが発生する表面が平坦である請求項１に記載の二酸化塩素ガスの発生方法。
【請求項３】
前記亜塩素酸塩水性液は、前記ゲル化活性剤が添加される前には、気密性容器に封入されている請求項１または請求項２に記載の二酸化塩素ガスの発生方法。
【請求項４】
前記ゲル化活性剤は、前記亜塩素酸塩水性液に添加する前には、気密性容器に封入されている請求項１または請求項２に記載の二酸化塩素ガスの発生方法。
【請求項５】
亜塩素酸塩水性液を含むＡ剤と、ガス発生剤、炭酸塩および過酸化水素を含むガス発生調整剤、ガス発生調節剤、ならびに吸水性樹脂を含むゲル化活性剤を含むＢ剤と、で構成され、前記Ａ剤に前記Ｂ剤を添加することにより二酸化塩素ガスを持続的に発生させる二酸化塩素ガス発生用キット。
【請求項６】
亜塩素酸塩水性液と、ガス発生剤、炭酸塩および過酸化水素を含むガス発生調整剤、ガス発生調節剤、ならびに吸水性樹脂を含むゲル化活性剤と、を含み、二酸化塩素ガスを持続的に発生させるゲル状組成物。
【請求項７】
前記二酸化塩素ガスが発生する表面が平坦である請求項６に記載のゲル状組成物。
【発明の詳細な説明】
【技術分野】
【０００１】
本発明は、環境浄化、細菌またはウイルスなどの除菌または殺菌、屋内（室内外）、屋外または食品などの脱臭、防カビ、防腐などに使用される希薄な二酸化塩素ガスの発生方法、二酸化塩素ガス発生用キットおよびゲル状組成物に関する。
【背景技術】
【０００２】
二酸化塩素は強い酸化力を有し、環境浄化、細菌またはウイルスなどの除菌または殺菌、家庭、病院などの屋内もしくは屋外または食品などの脱臭、防カビ、防腐などの分野において、除菌剤、殺菌剤、脱臭剤、防カビ剤、防腐剤、または漂白剤などとして広く使用されている。
【０００３】
上記の用途に向けて、たとえば、特開平１１−２７８８０８号公報（特許文献１）は、溶存二酸化塩素ガス、亜塩素酸塩およびｐＨ調整剤を構成成分に有する純粋二酸化塩素液剤、かかる純粋二酸化塩素液剤および高吸水性樹脂を含有するゲル状組成物、およびかかる純粋二酸化塩素液剤またはゲル状組成物を用いて二酸化塩素ガスを継続的に発生させることを開示する。
【０００４】
また、特開２００３−１２４２４号公報（特許文献２）は、二酸化塩素ガスの放出量をコントロールするために、焼成骨材と、水と、溶存二酸化塩素とを含有してなる二酸化塩素組成物、かかる二酸化塩素組成物にさらにゲル化剤を含有してなる二酸化塩素組成物を開示する。
【０００５】
また、特開２００５−２９４３０号公報（特許文献３）は、二酸化塩素ガスの発生持続時間をさらに延ばすために、亜塩素酸塩水溶液に有機酸または無機酸とセピオライトなどの粉状のガス発生調節剤またはかかるガス発生調節剤と吸水性樹脂とを添加し、ゲル化させて二酸化塩素ガスを持続的に発生させる二酸化塩素ガスの発生方法を開示する。
【先行技術文献】
【特許文献】
【０００６】
【特許文献１】特開平１１−２７８８０８号公報
【特許文献２】特開２００３−１２４２４号公報
【特許文献３】特開２００５−２９４３０号公報
【発明の概要】
【発明が解決しようとする課題】
【０００７】
特開平１１−２７８８０８号公報（特許文献１）に開示されるようなゲル状組成物は、二酸化塩素ガスを長時間継続して発生させることができるが、高吸水性樹脂の添加のみでは二酸化塩素ガスの蒸散速度の調節が難しく、たとえば温度の上昇によってその蒸散速度が大になるという問題点がある。
【０００８】
特開２００３−１２４２４号公報（特許文献２）および特開２００５−２９４３０号公報（特許文献３）に開示されるようなゲル状組成物は、特開平１１−２７８８０８号公報（特許文献１）に開示されるようなゲル状組成物に比べて、二酸化塩素ガスの発生持続時間をさらに延ばすことができるが、二酸化塩素ガスの発生量は初期が多く時間の経過とともに低減するため、環境浄化、細菌またはウイルスなどの除菌または殺菌、家庭、病院などの屋内もしくは屋外または食品などの脱臭、防カビ、防腐などの観点から、二酸化塩素ガスの発生持続時間をさらに延長させることが求められている。
【０００９】
本発明は、初期の二酸化塩素ガスの急激な発生を抑制するとともに二酸化塩素ガスの発生を安定して極めて長時間持続させる二酸化塩素ガスの発生方法、二酸化塩素ガス発生用キットおよびゲル状組成物を提供することを目的とする。
【課題を解決するための手段】
【００１０】
本発明は、ある局面に従えば、亜塩素酸塩水性液に、ガス発生剤、炭酸塩および過酸化水素を含むガス発生調整剤、ガス発生調節剤、ならびに吸水性樹脂を含むゲル化活性剤を添加して得られるゲル状組成物から、二酸化塩素ガスを持続的に発生させる二酸化塩素ガスの発生方法である。
【００１１】
本発明のかかる局面に従う二酸化塩素ガスの発生方法において、ゲル状組成物は、二酸化塩素ガスが発生する表面を平坦とすることができる。亜塩素酸塩水性液は、ゲル化活性剤が添加される前には、気密性容器に封入され得る。ゲル化活性剤は、亜塩素酸塩水性液に添加する前には、気密性容器に封入され得る。
【００１２】
本発明は、別の局面に従えば、亜塩素酸塩水性液を含むＡ剤と、ガス発生剤、炭酸塩および過酸化水素を含むガス発生調整剤、ガス発生調節剤、ならびに吸水性樹脂を含むゲル化活性剤を含むＢ剤と、で構成され、Ａ剤にＢ剤を添加することにより二酸化塩素ガスを持続的に発生させる二酸化塩素ガス発生用キットである。
【００１３】
本発明は、さらに別の局面に従えば、亜塩素酸塩水性液と、ガス発生剤、炭酸塩および過酸化水素を含むガス発生調整剤、ガス発生調節剤、ならびに吸水性樹脂を含むゲル化活性剤と、を含み、二酸化塩素ガスを持続的に発生させるゲル状組成物である。
【００１４】
本発明のかかる局面におけるゲル状組成物において、二酸化塩素ガスが発生する表面を平坦とすることができる。
【発明の効果】
【００１５】
本発明によれば、初期の二酸化塩素ガスの急激な発生を抑制するとともに二酸化塩素ガスの発生を安定して極めて長時間持続させる二酸化塩素ガスの発生方法、二酸化塩素ガス発生用キットおよびゲル状組成物を提供できる。
【図面の簡単な説明】
【００１６】
【図１】図１は、ゲル状組成物が入った容器の一例を示す概略図である。
【図２】図２は、ゲル状組成物から発生した二酸化塩素ガスの濃度の測定方法を示す概略図である。
【図３】図３は、比較例１および実施例１における亜塩素酸塩水性液へのゲル化活性剤添加から２４０時間経過までに発生した二酸化塩素ガスの濃度の経時変化を示すグラフである。
【図４】図４は、比較例１および実施例１における亜塩素酸塩水性液へのゲル化活性剤添加から２６００時間経過までに発生した二酸化塩素ガスの濃度の経時変化を示すグラフである。
【図５】図５は、比較例２および実施２における亜塩素酸塩水性液へのゲル化活性剤添加から２４０時間経過までに発生した二酸化塩素ガスの濃度の経時変化を示すグラフである。
【図６】図６は、比較例２および実施例２における亜塩素酸塩水性液へのゲル化活性剤添加から２６００時間経過までに発生した二酸化塩素ガスの濃度の経時変化を示すグラフである。
【図７】図７は、比較例３および実施例３における亜塩素酸塩水性液へのゲル化活性剤添加から２４０時間経過までに発生した二酸化塩素ガスの濃度の経時変化を示すグラフである。
【図８】図８は、比較例３および実施例３における亜塩素酸塩水性液へのゲル化活性剤添加から２６００時間経過までに発生した二酸化塩素ガスの濃度の経時変化を示すグラフである。
【図９】図９は、実施例４における亜塩素酸塩水性液へのゲル化活性剤添加から７２０時間経過までに発生した二酸化塩素ガスの濃度の経時変化を示すグラフである。
【図１０】図１０は、実施例５における亜塩素酸塩水性液へのゲル化活性剤添加から７２０時間経過までに発生した二酸化塩素ガスの濃度の経時変化を示すグラフである。
【図１１】図１１は、実施例６における亜塩素酸塩水性液へのゲル化活性剤添加から７２０時間経過までに発生した二酸化塩素ガスの濃度の経時変化を示すグラフである。
【発明を実施するための形態】
【００１７】
［実施形態１：二酸化塩素ガスの発生方法］
本発明のある実施形態である二酸化塩素ガスの発生方法は、亜塩素酸塩水性液に、ガス発生剤、炭酸塩および過酸化水素を含むガス発生調整剤、ガス発生調節剤、ならびに吸水性樹脂を含むゲル化活性剤を添加して得られるゲル状組成物から、二酸化塩素ガスを持続的に発生させる方法である。本実施形態の二酸化塩素ガスの発生方法は、ガス発生調整剤およびガス発生調節剤により、初期の二酸化塩素ガスの急激な発生を抑制するとともに二酸化塩素ガスの発生を安定して極めて長時間持続させることができる。ここで、初期とは、たとえば、亜塩素酸塩水性液へのゲル化活性剤の添加から７２時間経過（特に２４時間経過）までの期間をいう。
【００１８】
本実施形態の二酸化塩素ガスの発生方法において、「亜塩素酸塩水性液にゲル化活性剤を添加」と規定しているが、「ゲル化活性剤に亜塩素酸塩水性液を添加」しても本質的に同様の作用効果が得られる。すなわち、「ゲル化活性剤に亜塩素酸塩水性液を添加」する場合は、「亜塩素酸塩水性液にゲル化活性剤を添加する場合と均等である。
【００１９】
本実施形態の二酸化塩素ガスの発生方法において、二酸化塩素ガスの発生を安定して極めて長時間持続させる観点から、ゲル状組成物の二酸化塩素ガスが発生する表面は平坦であることが好ましい。
【００２０】
本実施形態の二酸化塩素ガスの発生方法において、ゲル化活性剤が添加される前の亜塩素酸塩水性液中の亜塩素酸塩の分解による二酸化塩素ガスの生成および発生を抑制して長期間安定に保存できるとともに、ゲル化活性剤が添加されることにより二酸化塩素ガスを安定して長時間持続的に発生させる観点から、亜塩素酸塩水性液は、ゲル化活性剤が添加される前には、気密性容器に封入されていることが好ましい。
【００２１】
本実施形態の二酸化塩素ガスの発生方法において、亜塩素酸塩水性液に添加する前のゲル化活性剤の劣化を抑制して長時間安定に保存できるとともに、亜塩素酸塩水性液に添加することにより二酸化塩素ガスを安定して長時間持続的に発生させる観点から、ゲル化活性剤は、亜塩素酸塩水性液に添加する前には、気密性容器に封入されていることが好ましい。
【００２２】
（亜塩素酸塩水性液）
本実施形態の二酸化塩素ガスの発生方法において用いられる亜塩素酸塩水性液は、亜塩素酸塩を含む、水を主成分（亜塩素酸塩などの溶質および／または分散質を除いた溶媒および／または分散媒中の水の含有量が５０質量％以上であることをいう。以下同じ。）とする液体であって、ガス発生剤、ガス発生調整剤、ガス発生調節剤、および吸水性樹脂を含むゲル化活性剤を溶解および／または分散させることができる液体であって、ゲル化活性剤が添加されることにより、ゲル状組成物を形成し、形成されたゲル状組成物からその表面を経由して二酸化塩素ガスを持続的に発生させる液体である。亜塩素酸塩水性液は、ゲル化活性剤が添加されてゲル化して得られるゲル状組成物から二酸化塩素ガスを安全にかつ長時間安定して持続的に発生させる観点から、水溶液または水分散液であることが好ましい。
【００２３】
亜塩素酸塩水性液に含まれる亜塩素酸塩は、後述するガス発生剤の存在により、二酸化塩素ガスを発生させる亜塩素酸塩であれば特に制限はなく、たとえば、亜塩素酸ナトリウム（ＮａＣｌＯ2）、亜塩素酸カリウム（ＫＣｌＯ2）、亜塩素酸リチウム（ＬｉＣｌＯ2）などの水素を除く第１族元素（アルカリ金属元素）の亜塩素酸塩、亜塩素酸カルシウム（Ｃａ（ＣｌＯ2）2）、亜塩素酸ストロンチウム（Ｓｒ（ＣｌＯ2）2）、亜塩素酸バリウム（Ｂａ（ＣｌＯ2）2）、亜塩素酸マグネシウム（Ｍｇ（ＣｌＯ2）2）などの第２族元素の亜塩素酸塩などが挙げられる。これらの中で、市販されている亜塩素酸ナトリウムが入手しやすく使用上も問題がない。
【００２４】
亜塩素酸塩水性液は、上記の亜塩素酸塩を水性液に所定濃度を溶解させることにより得られる。亜塩素酸ナトリウムを水性液に溶解させる場合は、液体では漂白剤として使用させる市販の２５質量％の亜塩素酸ナトリウム水溶液や、固体では市販の８６質量％品、８０質量％品、７９質量％品または７６質量％品が好適に用いられる。また、亜塩素酸塩水性液の濃度は、劇毒物および危険物に該当せず取り扱いが容易な観点から２５質量％未満であることが好ましく、１５質量％未満がより好ましく、１０質量％以下がさらに好ましい。
【００２５】
亜塩素酸塩水性液は、アルカリ性であることが好ましく、そのｐＨが９以上１３以下がより好ましく、１０以上１２．５以下がさらに好ましい。ゲル化活性剤の添加前の亜塩素酸塩水性液中の亜塩素酸塩の分解による二酸化塩素ガスの生成および発生を抑制して長期間安定に保存できるとともにゲル化活性剤の添加により二酸化塩素ガスを安定して長時間持続的に発生させることができる。
【００２６】
亜塩素案塩水溶液は、アルカリ性とするために、アリカリ剤をさらに含むことが好ましい。アルカリ剤は、それが亜塩素酸塩水溶液中に溶解および／または分散することにより、亜塩素酸塩水溶液がアルカリ性を呈するものであれば特に制限はないが、ゲル化活性剤が添加されることにより酸性雰囲気下になっても、二酸化塩素ガスの発生を妨げない観点から、水酸化ナトリウム（ＮａＯＨ）、水酸化カリウム（ＫＯＨ）などが好ましい。水酸化カリウムは、水酸化ナトリウムのように大気中の二酸化炭素と反応して重炭酸ナトリウムなどの塩を形成しない点、水酸化ナトリウムよりも、水和において濡れやすく浸透しやすく、ゲル化活性剤と混ざり合いやすく、ゲル状組成物の形成がより促進される点から、特に好ましい。
【００２７】
亜塩素酸塩水性液は、ゲル化活性剤が添加される前には、気密性容器に封入されていることが好ましい。亜塩素酸塩水性液を気密性容器に封入することで、ゲル化活性剤の添加前の亜塩素酸塩水性液中の亜塩素酸塩の分解による二酸化塩素ガスの発生を抑制して亜塩素酸塩水性液を長期間安定に保存できるとともに、ゲル化活性剤の添加により二酸化塩素ガスを安定して長時間持続的に発生させることができる。ここで、気密性容器とは、水蒸気などの気体、水分などの液体、および固体も透過しない容器をいい、具体的には、８．７質量％の亜塩素酸ナトリウム水溶液８５ｇを封入して５０℃の恒温槽内に２ヵ月（６０日）間静置した前後の質量変化が０．７ｇ以下の容器をいう。亜塩素酸塩水性液との反応性が低く、亜塩素酸塩水性液を長期間安定に保存する観点から、各種プラスチック製容器が好ましい。
【００２８】
（ガス発生剤）
本実施形態の二酸化塩素ガスの発生方法において用いられるガス発生剤は、ゲル状組成物内のｐＨ雰囲気を亜塩素酸塩から二酸化塩素ガスの発生に必要な弱アルカリから酸性に安定に保つことにより二酸化塩素を発生させる機能を有する。ガス発生剤はゲル化活性剤の構成要素であり、固体である。ここで、ゲル状組成物内のｐＨ雰囲気は、特に制限はないが、二酸化塩素ガスを安定に長時間持続的に生成させる観点から、２以上９以下が好ましく、３以上７以下がより好ましい。
【００２９】
ガス発生剤は、特に制限はないが、ゲル状組成物内のｐＨ雰囲気を好ましくは２以上９以下に保ち二酸化塩素ガスを安定に長時間持続的に生成させる観点から、酸解離定数ｐＫaが２．５以上の弱酸の塩、酸解離定数ｐＫaが３．８以上の弱酸、酸性およびアルカリ性の両方の官能基を有する両性化合物、ピリミジン構造を有する複素環式化合物ならびにからなる群から選ばれる少なくとも１つの物質を含むことが好ましい。
【００３０】
酸解離定数ｐＫaが２．５以上の弱酸の塩としては、クエン酸（ｐＫa1が２．９０、ｐＫa2が４．３５、ｐＫa3が５．６９）の塩であるクエン酸ナトリウム、リンゴ酸（ｐＫa1が３．２３、ｐＫa2が４．７７）の塩であるリンゴ酸ナトリウムなどが挙げられる。ここで、クエン酸ナトリウムには、クエン酸一ナトリウム（クエン酸モノナトリウム）、クエン酸二ナトリウム（クエン酸ジナトリウム））およびクエン酸三ナトリウム（クエン酸トリナトリウム））の３種類があり、これらの中でクエン酸二ナトリウムおよびクエン酸三ナトリウムがより好ましい。また、リンゴ酸ナトリウムには、リンゴ酸一ナトリウム（リンゴ酸モノナトリウム）およびリンゴ酸二ナトリウム（リンゴ酸ジナトリウム）の２種類があり、これらの中でリンゴ酸二ナトリウムがより好ましい。ここで、弱酸の塩とは、無水塩であっても、有水塩であってもよい。
【００３１】
酸解離定数ｐＫaが３．８以上の弱酸としては、コハク酸（ｐＫa1が３．９９、ｐＫa2が５．２０）、ホウ酸（ｐＫa1が９．２３、ｐＫa2が１２．７４、ｐＫa3が１３．５２）などが挙げられる。
【００３２】
両性化合物としては、酸性の官能基であるカルボキシル基（ＣＯＯＨ基）とアルカリ性の官能基であるアミノ基（ＮＨ2基）とを有するアミノ酸などが挙げられる。アミノ酸と
しては、アルキル鎖を有するグリシン、アラニン、バリン、ロイシン、およびイソロイシン、ヒドロキシ基（ＯＨ基）を有するセリンおよびトリオニン、アミド基（ＲＣＯＮＨ基）を有するアスパラギンおよびグルタミン、イミノ基（Ｃ＝ＮＨ基またはＣＮＨＣ基）を有するプロリン、フェニル基（Ｃ6Ｈ5基）を有するフェニルアラニン、チロシンおよびトリプトファン、２以上のカルボキシル基（ＣＯＯＨ基）を有するアスパラギン酸およびグルタミン酸、２以上のアミノ基（ＮＨ2基）を有するリシンおよびアルギニンなどが挙げられる。
【００３３】
ピリミジン構造を有する複素環式化合物としては、バルビツール酸、オロト酸などが挙げられる。
【００３４】
ガス発生剤は、ゲル状組成物内のｐＨ雰囲気を好ましくは２以上９以下に保ちながら二酸化塩素ガスの安定な長時間持続的な生成を促進させる観点から、酸解離定数ｐＫaが２．５以上で第１酸解離定数ｐＫa1が３．８未満の弱酸をさらに含むことが好ましい。かかる弱酸は、安全性が高い観点から、食品添加物として使用される有機酸が好ましい。酸解離定数ｐＫaが２．５以上で第１酸解離定数ｐＫa1が３．８未満の有機酸としては、クエン酸（ｐＫa1が２．９０、ｐＫa2が４．３５、ｐＫa3が５．６９）、リンゴ酸（ｐＫa1が３．２３、ｐＫa2が４．７７）、ギ酸（ｐＫa1が３．５４）、乳酸（ｐＫa1が３．６４）、酒石酸（（＋）体でｐＫa1が２．８７、ｐＫa2が３．９７：メソ体でｐＫa1が２．９５、ｐＫa2が４．４６）などのカルボン酸類などが挙げられる。
【００３５】
ここで、酸解離定数ｐＫaが２．５以上の弱酸の塩と酸解離定数ｐＫaが２．５以上で第１酸解離定数ｐＫa1が３．８未満の弱酸と、を用いる場合は、上記弱酸の塩と弱酸とは、ゲル状組成物内のｐＨ雰囲気をより安定に保持する観点から、共役な塩および酸であることが好ましい。たとえば、上記弱酸の塩としてクエン酸塩を用いた場合は上記弱酸としてクエン酸を用いることが好ましく、上記弱酸の塩としてリンゴ酸塩を用いた場合は上記弱酸としてリンゴ酸を用いることが好ましい。
【００３６】
（ガス発生調整剤）
本実施形態の二酸化塩素ガスの発生方法において用いられるガス発生調整剤は、上記ガス発生剤による亜塩素酸塩からの二酸化塩素の発生を化学的作用により調整する機能を有する。ガス発生調整剤は、ゲル化活性剤の構成要素であり、固体である。ガス発生調整剤は、炭酸塩および過酸化水素を含む。ガス発生調整剤に含まれる炭酸塩は、ゲル状組成物内のｐＨ雰囲気を亜塩素酸塩から二酸化塩素ガスの発生に必要な弱アルカリから酸性に安定に保つためのガス発生剤と反応して炭酸ガスを発生する。このため、亜塩素酸塩水性液にゲル化活性剤を添加した初期のゲル状組成物形成における二酸化塩素ガスの急激な発生が抑制される。また、発生した炭酸ガスは、ゲル状組成物の表面から放出されるため、ゲル状組成物の表面は一定の平坦な面となる。このため、二酸化塩素ガスは、ゲル状組成物から表面を経由して安定に長時間持続して発生する。また、ガス発生調整剤に含まれる過酸化水素は、発生した二酸化塩素ガスを還元することにより低減させる。このため、亜塩素酸塩水性液にゲル化活性剤を添加した初期のゲル状組成物形成における二酸化塩素ガスの急激な発生が抑制される。
【００３７】
炭酸塩および過酸化水素を含むガス発生調整剤は、特に制限はないが、亜塩素酸塩からの二酸化塩素の急激な発生を抑制することにより二酸化塩素の発生を安定して長時間持続させる観点から、炭酸ナトリウム過酸化水素化物（Ｎａ2ＣＯ3・１．５Ｈ2Ｏ2または２Ｎａ2ＣＯ3・３Ｈ2Ｏ2と表記される）、炭酸カリウム過酸化水素化物（Ｋ2ＣＯ3・１．５Ｈ2Ｏ2または２Ｋ2ＣＯ3・３Ｈ2Ｏ2と表記される）などが好ましく、さらに入手が容易な観点から、炭酸ナトリウム過酸化水素化物がより好ましい。ここで、炭酸ナトリウム過酸化水素化物は、炭酸ナトリウムと過酸化水素とが２：３のモル比で混合された付加化合物をいい、日本の法令上は炭酸ナトリウム過酸化水素付加物と呼ばれる。
【００３８】
（ガス発生調節剤）
本実施形態の二酸化塩素ガスの発生方法において用いられるガス発生調節剤は、上記ガス発生剤による亜塩素酸塩からの二酸化塩素の発生を物理的作用により調節する機能を有する。すなわち、ガス発生調節剤は、亜塩素酸塩からの二酸化塩素ガスの発生量が多量のときはその二酸化塩素ガスの少なくとも一部を表面および／または内部に保持し、亜塩素酸塩からの二酸化塩素ガスの発生量が少量または無いときは保持していた二酸化塩素ガスを放出することにより、二酸化塩素ガスをゲル状組成物から持続的に発生させる機能を有する。ガス発生調節剤は、ゲル化活性剤の構成要素であり、固体である。
【００３９】
ガス発生調節剤は、二酸化塩素ガスの発生を効率よく分散できるものであれば材質および形状に特に制限はないが、二酸化塩素ガスを多く保持できる観点から、表面積が大きい多孔質のものが好ましく、セピオライト、モンモリロナイト、ケイソウ土、タルクおよびゼオライトからなる群から選ばれる少なくともいずれかであることが好ましい。また、表面積を大きくする観点から、粉状、粒状および／または多孔質であることが好ましい。
【００４０】
上記のガス発生調節剤のうちで、二酸化塩素ガスの保持および放出に優れている観点から、セピオライトが好ましい。ここで、セピオライトは、ケイ酸マグネシウム塩の天然鉱物であって化学組成式はＭｇ8Ｓｉ12Ｏ30（ＯＨ）4（ＯＨ2）4・８Ｈ2Ｏで表され、その結晶構造は繊維状で表面に多数の溝を有すると共に、内部に筒型トンネル構造のクリアランスを多数有し、非常に表面積の大きい物質である。市販品としては商品名ミラクレー（近江鉱業社製）などが挙げられる。また粉状のケイソウ土としては商品名セライト（昭和ケミカル社製）などが挙げられる。
【００４１】
（吸水性樹脂）
本実施形態の二酸化塩素ガスの発生方法において用いられる吸水性樹脂は、水分を吸収してゲル状組成物を形成する機能を有する。吸水性樹脂は、ゲル化活性剤の構成要素であり、固体であり、たとえば、デンプン系吸水性樹脂、セルロース系吸水性樹脂、合成ポリマー系吸水性樹脂などが好ましく用いられる。デンプン系吸水性樹脂としてはデンプン／ポリアクリル酸系樹脂（三洋化成社製、粉末）などがあり、合成ポリマー系吸水性樹脂としては架橋ポリアクリル酸系樹脂、イソブチレン／マレイン酸系樹脂、ポバール／ポリアクリル酸塩系樹脂、ポリアクリル酸塩系樹脂などがあり、具体的にはポリアクリル酸ナトリウムなどが用いられる。
【００４２】
（ゲル化活性剤）
本実施形態の二酸化塩素ガスの発生方法において用いられるゲル化活性剤は、亜塩素酸塩水性液に添加することにより、ゲル状組成物を形成し、形成されたゲル状組成物から二酸化塩素ガスを安定して持続的に発生させる機能を有し、ガス発生剤、炭酸塩および過酸化水素を含むガス発生調整剤、ガス発生調節剤、ならびに吸水性樹脂を含む。ここで、均質なゲル状組成物を形成させる観点から、ゲル化活性剤は、亜塩素酸塩水性液に添加することにより、ゲル状組成物を形成し、形成されたゲル状組成物から二酸化塩素ガスを安定して持続的に発生させる機能を有し、ガス発生剤、炭酸塩および過酸化水素を含むガス発生調整剤、ガス発生調節剤、ならびに吸水性樹脂が十分に混合されたものを含むことが好ましい。
【００４３】
ゲル化活性剤は、亜塩素酸塩水性液に添加する前には、気密性容器内に封入されていることが好ましい。亜塩素酸塩水性液への添加前においては、ゲル化活性剤は、気密性容器内に封入されていることにより、大気中からの水分の混入が防止されることから、劣化が防止されるため、長期間安定して保存することができる。ここで、気密性容器とは、水蒸気などの気体、水分などの液体、および固体も透過しない容器をいい、具体的には８．７質量％の亜塩素酸ナトリウム水溶液８５ｇを封入して５０℃の恒温槽内に２ヵ月（６０日）間静置した前後の質量変化が０．７ｇ以下の容器をいう。たとえば、各種プラスチック製容器などが挙げられる。
【００４４】
（ゲル状組成物の二酸化塩素ガスが発生する表面の平坦性）
本実施形態の二酸化塩素ガスの発生方法において、二酸化塩素ガスが発生する表面の表面積を一定に維持することにより、二酸化塩素ガスの発生を安定して極めて長時間持続させる観点から、ゲル状組成物の二酸化塩素ガスが発生する表面は平坦であることが好ましい。ここで、ゲル状組成物の二酸化塩素ガスが発生する表面が平坦とは、亜塩素酸塩水性液へのゲル化活性剤の添加による表面の局所的な盛り上がりがなく、目視上平坦であることを意味する。さらに、二酸化塩素ガスが発生する表面の表面積を一定に維持することにより、二酸化塩素ガスの発生を安定して極めて長時間持続させる観点から、ゲル状組成物の二酸化塩素ガスが発生する表面は平坦であるとともに割れが発生しないことがより好ましい。
【００４５】
［実施形態２：二酸化塩素ガス発生用キット］
本発明の別の実施形態である二酸化塩素ガス発生用キットは、亜塩素酸塩水性液を含むＡ剤と、ガス発生剤、炭酸塩および過酸化水素を含むガス発生調整剤、ガス発生調節剤、ならびに吸水性樹脂を含むゲル化活性剤を含むＢ剤と、で構成され、Ａ剤にＢ剤を添加することにより二酸化塩素ガス持続的に発生させるキットである。本実施形態の二酸化塩素ガス発生用キットは、Ｂ剤に含まれるガス発生調整剤およびガス発生調節剤により、初期の二酸化塩素ガスの急激な発生を抑制するとともに二酸化塩素ガスの発生を安定して極めて長時間持続させることができる。
【００４６】
本実施形態の二酸化塩素ガス発生用キットにおいて、「Ａ剤にＢ剤を添加」と規定しているが、「Ｂ剤にＡ剤を添加」しても本質的に同様の作用効果が得られる。すなわち、「Ｂ剤にＡ剤を添加」する場合は、「Ａ剤にＢ剤を添加」する場合と均等である。
【００４７】
本実施形態の二酸化塩素ガス発生用キットにおいて、Ｂ剤の添加前のＡ剤中の亜塩素酸塩水性液中の亜塩素酸塩の分解による二酸化塩素ガスの発生を抑制して長期間安定に保存できるとともにＢ剤の添加により、初期の二酸化塩素ガスの急激な発生を抑制するとともに二酸化塩素ガスを安定して長時間持続的に発生させる観点から、Ａ剤に含まれる亜塩素酸塩水性液は、アルカリ性であることが好ましく、そのｐＨが９以上１３以下がより好ましく、１０以上１２．５以下がさらに好ましい。
【００４８】
本実施形態の二酸化塩素ガス発生用キットを構成する一要素であるＡ剤は、Ｂ剤の添加前には、気密性容器に封入されていることが好ましい。Ｂ剤の添加前のＡ剤中の亜塩素酸塩水性液中の亜塩素酸塩の分解による二酸化塩素ガスの生成および発生を抑制して亜塩素酸塩水性液を含むＡ剤を長期間安定に保存できるとともにＢ剤の添加により二酸化塩素ガスを安定して長時間持続的に発生させることができる。ここで、気密性容器とは、水蒸気などの気体、水分などの液体、および固体も透過しない容器をいい、亜塩素酸塩水性液との反応性が低く、亜塩素酸塩水性液を長期間安定に保存する観点から、各種プラスチック製容器が好ましい。
【００４９】
本実施形態の二酸化塩素ガス発生用キットを構成する別の要素であるＢ剤は、Ａ剤に添加する前には、気密性容器内に封入されていることが好ましい。Ｂ剤中のゲル化活性剤は、気密性容器内に封入されていることにより、大気中からの水分の混入が防止されることから、劣化が防止されるため、ゲル化活性剤を含むＢ剤を長期間安定して保存することができる。ここで、気密性容器とは、水蒸気などの気体、水分などの液体、および固体も透過しない容器をいい、たとえば、各種プラスチック製容器などが挙げられる。
【００５０】
また、Ｂ剤は、均質なゲル状組成物を形成させて、二酸化塩素ガスを極めて長い時間に亘って持続的に発生させる観点から、ガス発生剤、炭酸塩および過酸化水素を含むガス発生調整剤、ガス発生調節剤、ならびに吸水性樹脂が十分に混合されたゲル化活性剤を含むことが好ましい。
【００５１】
なお、本実施形態の二酸化塩素ガス発生用キットにおける亜塩素酸塩水性液、ガス発生剤、炭酸塩および過酸化水素を含むガス発生調整剤、ガス発生調節剤、吸水性樹脂ならびにゲル化活性剤は、実施形態１の二酸化塩素ガスの発生方法における亜塩素酸塩水性液、ガス発生剤、炭酸塩および過酸化水素を含むガス発生調整剤、ガス発生調節剤、吸水性樹脂ならびにゲル化活性剤と同様であるため、ここでは繰り返さない。
【００５２】
本実施形態の二酸化塩素ガス発生用キットは、初期の二酸化塩素ガスの急激な発生を抑制するとともに二酸化塩素ガスの発生を安定して極めて長時間持続させる観点から、キット全体に対して、Ａ剤は６０質量％〜９０質量％およびＢ剤は１０質量％〜４０質量％が好ましい。また、Ａ剤の全体に対して、亜塩素酸水性液中の亜塩素酸塩成分は純分換算で２質量％〜２０質量％および亜塩素酸塩水性液中の水性液成分は８０質量％〜９８質量％が好ましい。また、Ｂ剤の全体に対して、ゲル活性剤中のガス発生剤は１０質量％〜６０質量％、ゲル活性剤中のガス発生調整剤は０．１質量％〜１５質量％、ゲル活性剤中のガス発生調節剤は５質量％〜６０質量％、ゲル活性剤中の吸水性樹脂は１５質量％〜９０質量％であることが好ましい。
【００５３】
本実施形態の二酸化塩素ガス発生用キットの具体的な形態は、特に制限はなく、Ａ剤（たとえば亜塩素酸塩水溶液）を封入した気密性容器と、Ｂ剤（たとえば、ガス発生剤、炭酸塩および過酸化水素を含むガス発生調整剤、ガス発生調節剤、吸水性樹脂を含むゲル化活性剤）を封入した気密性容器とが一緒に梱包された形態、あるいは、Ａ剤（たとえば亜塩素酸塩水溶液）を封入した容器を梱包したものと、Ｂ剤（たとえば、ガス発生剤、炭酸塩および過酸化水素を含むガス発生調整剤、ガス発生調節剤、吸水性樹脂を含むゲル化活性剤）を封入した容器を梱包したものとを組み合わせた形態、などが挙げられる。
【００５４】
［実施形態３：ゲル状組成物］
本発明のさらに別の実施形態であるゲル状組成物は、亜塩素酸塩水性液と、ガス発生剤、炭酸塩および過酸化水素を含むガス発生調整剤、ガス発生調節剤、ならびに吸水性樹脂を含むゲル化活性剤と、を含み、二酸化塩素ガスを持続的に発生させるゲル状の組成物である。本実施形態のゲル状組成物は、ゲル状組成物に含まれるガス発生調整剤およびガス発生調節剤により、初期の二酸化塩素ガスの急激な発生を抑制するとともに二酸化塩素ガスの発生を安定して極めて長時間持続させることができる。
【００５５】
本実施形態のゲル状組成物は、実施形態１の二酸化塩素ガス発生方法に従い、亜塩素酸塩水性液に、ガス発生剤、炭酸塩および過酸化水素を含むガス発生調整剤、ガス発生調節剤、ならびに吸水性樹脂を含むゲル化活性剤を添加することにより、ゲル化したものである。より具体的には、本実施形態のゲル状組成物は、実施形態２の二酸化塩素ガス発生用キットを用いて、亜塩素酸塩水性液を含むＡ剤に、ガス発生剤、炭酸塩および過酸化水素を含むガス発生調整剤、ガス発生調節剤、ならびに吸水性樹脂を含むゲル化活性剤を含むＢ剤を添加することによりゲル化したものである。
【００５６】
本実施形態のゲル状組成物において、二酸化塩素ガスが発生する表面の表面積を一定に維持することにより、二酸化塩素ガスの発生を安定して極めて長時間持続させる観点から、ゲル状組成物の二酸化塩素ガスが発生する表面は平坦であることが好ましい。ここで、ゲル状組成物の二酸化塩素ガスが発生する表面が平坦とは、亜塩素酸塩水性液へのゲル化活性剤の添加による表面の局所的な盛り上がりがなく、目視上平坦であることを意味する。さらに、二酸化塩素ガスが発生する表面の表面積を一定に維持することにより、二酸化塩素ガスの発生を安定して極めて長時間持続させる観点から、ゲル状組成物の二酸化塩素ガスが発生する表面は平坦であるとともに割れが発生しないことがより好ましい。
【００５７】
なお、本実施形態のゲル状組成物における亜塩素酸塩水性液、ガス発生剤、炭酸塩および過酸化水素を含むガス発生調整剤、ガス発生調節剤、吸水性樹脂ならびにゲル化活性剤は、実施形態１の二酸化塩素ガスの発生方法における亜塩素酸塩水性液、ガス発生剤、炭酸塩および過酸化水素を含むガス発生調整剤、ガス発生調節剤、吸水性樹脂ならびにゲル化活性剤と同様であるため、ここでは繰り返さない。
【００５８】
本実施形態のゲル状組成物は、初期の二酸化塩素ガスの急激な発生を抑制するとともに二酸化塩素ガスの発生を安定して極めて長時間持続させる観点から、亜塩素酸塩水性液中の亜塩素酸塩成分が純分換算で２．５質量％〜１０質量％、亜塩素酸塩水性液中の水性液成分が５０質量％〜９５質量％、ガス発生剤が２質量％〜１５質量％、ガス発生調整剤が０．０３質量％〜３質量％、ガス発生調節剤が１．５質量％〜１５質量％、吸水性樹脂が２．５質量％〜２０質量％であることが好ましい。
【実施例】
【００５９】
（二酸化塩素ガス発生用容器の準備）
図１に示すように、プラスチック製本体１０とプラスチック製蓋を２０とで構成される二酸化塩素ガス発生用容器１を準備した。プラスチック製本体１０は、開口部を有する略円柱状の容器であり、底部の外径Ｅ１が６４ｍｍおよび内径Ｉ１が６０ｍｍ、頂部の開口部の内径Ｉ２が３７ｍｍ、円柱筒状胴部の高さＨ１が６４ｍｍ、円錐台筒状肩部の高さＨ２が１１ｍｍ、円柱筒状首部の高さＨ３が１５ｍｍであり、円柱筒状胴部の容積が１７４ｍｌであった。プラスチック製蓋２０は、開口部２２ｗを有する内蓋２２と開口部２４ｗを有する外蓋２４とで構成され、内蓋２２と外蓋２４とは中央部の回りに摺動回転可能なように配置され、内蓋２２の開口部２２ｗと外蓋２４の開口部２４ｗの重複部分が二酸化塩素ガス発生用容器１の開口部１ｗを構成する構造を有していた。
【００６０】
（亜塩素酸塩水性液の調製）
亜塩素酸塩水性液として、２５質量％の亜塩素酸ナトリウム水溶液（ダイソー社製２５％亜塩素酸ナトリウム水溶液）を純水で希釈することにより、８．７質量％の亜塩素酸ナトリウム水溶液を調製した。
【００６１】
（ゲル化活性剤の調製）
実施例用のゲル化活性剤として、ガス発生剤としてのクエン酸三ナトリウム・二水和物３１９５ｇおよび無水クエン酸１７５５ｇと、吸水性樹脂としてのポリアクリル酸系吸水性樹脂（三洋化成社製サンフレッシュＳＴ−５００Ｄ）５０４０ｇと、ガス発生調節剤としてのセピオライト粉末（近江工業社製ミラクレーＰ−１５０Ｄ）１８００ｇと、ガス発生調整剤としての炭酸ナトリウム過酸化水素化物１８０ｇと、均一に混合した混合粉末を調製した。また、比較例用のゲル化活性剤として、上記の実施例用のゲル化活性剤からガス発生調整剤である炭酸ナトリウム過酸化水素化物を除いたものを均一に混合した混合粉末を調製した。
【００６２】
（実施例１）
温度２０．３℃および湿度（相対湿度をいう、以下同じ）６９％の恒温室内で、図１に示す二酸化塩素ガス発生用容器１のプラスチック製本体１０に、上記の亜塩素酸塩水性液（８．８質量％の亜塩素酸ナトリウム水溶液）１１７．２５ｇを入れ、次いで、上記の実施例用ゲル化活性剤３３．２５ｇ（各成分の組成は、クエン酸三ナトリウム・二水和物８．８７５ｇ、無水クエン酸４．８７５ｇ、ポリアクリル酸系吸水性樹脂１４ｇ、セピオライト粉末５ｇ、炭酸ナトリウム過酸化水素化物０．５ｇ）を添加した。
後、プラスチック製本体１０の開口部１０ｗをプラスチック製蓋２０で覆い、内蓋２２の開口部２２ｗと外蓋２４の開口部２４ｗの重複部の開口部１ｗが最大になるように内蓋２２および外蓋２４を配置した。二酸化塩素ガス発生用容器１の上記最大の開口部１ｗは、上底７ｍｍ、下底１０ｍｍおよび高さ５ｍｍの略台形状であり、その面積は４２．５ｍｍ2であった。上記の亜塩素酸塩水性液に上記のゲル化活性剤を添加してから４分後にゲル化してゲル状組成物３０が得られた。ゲル時間は４分であった。得られたゲル状組成物３０の表面３０ｓは、平坦（亜塩素酸塩水性液への実施例用ゲル化活性剤の添加による表面の局所的な盛り上がりがなく、目視上平坦）であった。また、ゲル状組成物３０の表面３０ｓには、割れは発生しなかった。
【００６３】
次いで、上記の亜塩素酸塩水性液および実施例用ゲル化活性剤を入れた二酸化塩素ガス発生用容器１を、容量１リットルのビーカ２に入れて、ビーカの注ぎ口部分を残してプラスチック製フィルム３で覆った後、温度１９．７℃〜２０．７℃および相対湿度３６％〜８８％の恒温室内に、内部に上記ゲル状組成物が形成された上記二酸化塩素ガス発生用容器が入ったビーカを静置して、上記の亜塩素酸塩水性液への上記の実施例用ゲル化活性剤の添加から所定時間経過後に、ビーカの注ぎ口から北川式検知管４を挿入して、発生する二酸化塩素ガスの濃度を測定して、その経時変化を調べた。結果を表１、表２、図３および図４に示した。
【００６４】
（比較例１）
上記の実施例用ゲル化活性剤３３．２５ｇに替えて、上記の比較例用ゲル化活性剤３２．７５ｇ（各成分の組成は、クエン酸三ナトリウム・二水和物８．８７５ｇ、無水クエン酸４．８７５ｇ、ポリアクリル酸系吸水性樹脂１４ｇ、セピオライト粉末５ｇ）を用いたこと以外は、実施例１と同様にして、ゲル状組成物を形成した。ゲル時間は４分であった。得られたゲル状組成物の表面は、亜塩酸塩水性液への比較例用ゲル化活性剤の添加による局所的な盛り上がりが形成された。また、ゲル状組成物の表面には割れが発生した。
【００６５】
次いで、実施例１と同様にして、上記の亜塩素酸塩水性液への上記の比較例用ゲル化活性剤の添加から所定時間経過後に、発生する二酸化塩素ガスの濃度を測定して、その経時変化を調べた。結果を表１、表２、図３および図４にまとめた。
【００６６】
【表１】
2019064849.tif 000003
【００６７】
【表２】
2019064849.tif 000004
【００６８】
表１および図３を参照して、比較例１においては、上記の亜塩素酸塩水性液への上記の比較例用ゲル化活性剤の添加から７２時間経過まで（特に２４時間経過まで）の初期に発生した二酸化塩素の濃度が高くなったが、実施例１においては、上記の亜塩素酸塩水性液への上記の比較例用ゲル化活性剤の添加から７２時間経過まで（特に２４時間経過まで）の初期に発生した二酸化塩素の濃度が低くなった。すなわち、実施例１は、ガス発生調節剤に加えて炭酸塩および過酸化水素を含むガス発生調整剤を添加することにより、亜塩素酸塩水性液へのゲル化活性剤の添加後の初期の二酸化塩素ガスの急激な発生を、比較例１に比べて抑制することができた。
【００６９】
表１、表２および図４を参照して、上記の亜塩素酸塩水性液への上記のゲル化活性剤の添加から２６００時間経過までに亘って、実施例１は、比較例１に比べて、二酸化塩素ガスの濃度の変動が少なかった。また、４０ｐｐｍ程度以上の二酸化塩素ガスの濃度の保持期間は、比較例１が１９１８時間経過程度までであったのに対し、実施例１は２４９０時間経過程度までに長期化できた。すなわち、実施例１は、ガス発生調節剤に加えて炭酸塩および過酸化水素を含むガス発生調整剤を添加することにより、二酸化塩素ガスを極めて長時間持続してかつ安定に発生させることができた。したがって、実施例１によれば、少なくとも２１６０時間（９０日）の長期間持続してかつ安定して二酸化塩素ガスの発生が可能な二酸化塩素ガスの発生方法、二酸化塩素ガス発生用キットおよびゲル状組成物が得られた。
【００７０】
（実施例２）
上記の亜塩素酸塩水性液（８．８質量％の亜塩素酸ナトリウム水溶液）７０．３２ｇに、上記の実施例用ゲル化活性剤１９．９５ｇ（各成分の組成は、クエン酸三ナトリウム５．３２５ｇ、無水クエン酸２．９２５ｇ、ポリアクリル酸系吸水性樹脂８．４ｇ、セピオライト粉末３ｇ、炭酸ナトリウム過酸化水素化物０．３ｇ）を添加したこと以外は、実施例１と同様にして、ゲル状組成物を形成した。ゲル時間は３分であった。得られたゲル状組成物の表面は、平坦（亜塩素酸塩水性液への実施例用ゲル化活性剤の添加による表面の局所的な盛り上がりがなく、目視上平坦）であった。また、ゲル状組成物の表面には、割れは発生しなかった。
【００７１】
次いで、実施例１と同様にして、上記の亜塩素酸塩水性液への上記の実施例用ゲル化活性剤の添加から所定時間経過後に、発生する二酸化塩素ガスの濃度を測定して、その経時変化を調べた。結果を表３、表４、図５および図６にまとめた。
【００７２】
（比較例２）
上記の実施例用ゲル化活性剤１９．９５ｇに替えて、上記の比較例用ゲル化活性剤１９．６５ｇ（各成分の組成は、クエン酸三ナトリウム・二水和物５．３２５ｇ、無水クエン酸２．９２５ｇ、ポリアクリル酸系吸水性樹脂８．４ｇ、セピオライト粉末３ｇ）を用いたこと以外は、実施例２と同様にして、ゲル状組成物を形成した。ゲル時間は３分であった。得られたゲル状組成物の表面は、得られたゲル状組成物の表面は、亜塩酸塩水性液への比較例用ゲル化活性剤の添加による局所的な盛り上がりが形成された。また、ゲル状組成物の表面には割れが発生した。
【００７３】
次いで、実施例１と同様にして、上記の亜塩素酸塩水性液への上記の比較例用ゲル化活性剤の添加から所定時間経過後に、発生する二酸化塩素ガスの濃度を測定して、その経時変化を調べた。結果を表３、表４、図５および図６にまとめた。
【００７４】
【表３】
2019064849.tif 000005
【００７５】
【表４】
2019064849.tif 000006
【００７６】
表３および図５を参照して、比較例２においては、上記の亜塩素酸塩水性液への上記の比較例用ゲル化活性剤の添加から５６時間経過まで（特に２４時間経過まで）の初期に発生した二酸化塩素の濃度が高くなったが、実施例２においては、上記の亜塩素酸塩水性液への上記の比較例用ゲル化活性剤の添加から５６時間経過まで（特に２４時間経過まで）の初期に発生した二酸化塩素の濃度が低くなった。すなわち、実施例２は、ガス発生調節剤に加えて炭酸塩および過酸化水素を含むガス発生調整剤を添加することにより、亜塩素酸塩水性液へのゲル化活性剤の添加後の初期の二酸化塩素ガスの急激な発生を、比較例２に比べて抑制することができた。
【００７７】
表３、表４および図６を参照して、上記の亜塩素酸塩水性液への上記のゲル化活性剤の添加から２６００時間経過までに亘って、実施例２は、比較例２に比べて、二酸化塩素ガスの濃度の変動が少なかった。また、４０ｐｐｍ程度以上の二酸化塩素ガスの濃度の保持期間は、比較例２が１２５７時間経過程度までであったのに対し、実施例２は１６１６時間経過程度までに長期化できた。すなわち、実施例２は、ガス発生調節剤に加えて炭酸塩および過酸化水素を含むガス発生調整剤を添加することにより、二酸化塩素ガスを極めて長時間持続してかつ安定に発生させることができた。したがって、実施例２によれば、少なくとも１４４０時間（６０日）の長期間持続してかつ安定して二酸化塩素ガスの発生が可能な二酸化塩素ガスの発生方法、二酸化塩素ガス発生用キットおよびゲル状組成物が得られた。
【００７８】
（実施例３）
上記の亜塩素酸塩水性液（８．８質量％の亜塩素酸ナトリウム水溶液）４６．８８ｇに、上記の実施例用ゲル化活性剤１３．３０ｇ（各成分の組成は、クエン酸三ナトリウム・二水和物３．５５ｇ、無水クエン酸１．９５ｇ、ポリアクリル酸系吸水性樹脂５．６ｇ、セピオライト粉末２ｇ、炭酸ナトリウム過酸化水素化物０．２ｇ）を添加したこと以外は、実施例１と同様にして、ゲル状組成物を形成した。ゲル時間は２分であった。得られたゲル状組成物の表面は、平坦（亜塩素酸塩水性液への実施例用ゲル化活性剤の添加による表面の局所的な盛り上がりがなく、目視上平坦）であった。また、ゲル状組成物の表面には、割れは発生しなかった。
【００７９】
次いで、実施例１と同様にして、上記の亜塩素酸塩水性液への上記の実施例用ゲル化活性剤の添加から所定時間経過後に、発生する二酸化塩素ガスの濃度を測定して、その経時変化を調べた。結果を表５、表６、図７および図８にまとめた。
【００８０】
（比較例３）
上記の実施例用ゲル化活性剤１３．３０ｇに替えて、上記の比較例用ゲル化活性剤１３．１０ｇ（各成分の組成は、クエン酸三ナトリウム・二水和物３．５５ｇ、無水クエン酸１．９５ｇ、ポリアクリル酸系吸水性樹脂５．６ｇ、セピオライト粉末２ｇ）を用いたこと以外は、実施例２と同様にして、ゲル状組成物を形成した。ゲル時間は２分であった。得られたゲル状組成物の表面は、得られたゲル状組成物の表面は、亜塩酸塩水性液への比較例用ゲル化活性剤の添加による局所的な盛り上がりが形成された。また、ゲル状組成物の表面には割れが発生した。
【００８１】
次いで、実施例１と同様にして、上記の亜塩素酸塩水性液への上記の比較例用ゲル化活性剤の添加から所定時間経過後に、発生する二酸化塩素ガスの濃度を測定して、その経時変化を調べた。結果を表５、表６、図７および図８にまとめた。
【００８２】
【表５】
2019064849.tif 000007
【００８３】
【表６】
2019064849.tif 000008
【００８４】
表５および図７を参照して、比較例３においては、上記の亜塩素酸塩水性液への上記の比較例用ゲル化活性剤の添加から５６時間経過まで（特に２４時間経過まで）の初期に発生した二酸化塩素の濃度が高くなったが、実施例３においては、上記の亜塩素酸塩水性液への上記の比較例用ゲル化活性剤の添加から５６時間経過まで（特に２４時間経過まで）の初期に発生した二酸化塩素の濃度が低くなった。すなわち、実施例３は、ガス発生調節剤に加えて炭酸塩および過酸化水素を含むガス発生調整剤を添加することにより、亜塩素酸塩水性液へのゲル化活性剤の添加後の初期の二酸化塩素ガスの急激な発生を、比較例３に比べて抑制することができた。
【００８５】
表５、表６および図８を参照して、上記の亜塩素酸塩水性液への上記のゲル化活性剤の添加から２６００時間経過までに亘って、実施例３は、比較例３に比べて、二酸化塩素ガスの濃度の変動が少なかった。また、４０ｐｐｍ程度以上の二酸化塩素ガスの濃度の保持期間は、比較例３が８３６時間経過程度までであったのに対し、実施例３は１１４９時間経過程度までに長期化できた。すなわち、実施例３は、ガス発生調節剤に加えて炭酸塩および過酸化水素を含むガス発生調整剤を添加することにより、二酸化塩素ガスを極めて長時間持続してかつ安定に発生させることができた。したがって、実施例３によれば、少なくとも１０８０時間（４５日）の長期間持続してかつ安定して二酸化塩素ガスの発生が可能な二酸化塩素ガスの発生方法、二酸化塩素ガス発生用キットおよびゲル状組成物が得られた。
【００８６】
（実施例４）
亜塩素酸塩水性液として９．０質量％の亜塩素酸ナトリウム水溶液１１７．２５ｇを用い、実施例用ゲル化活性剤としてクエン酸三ナトリウム・二水和物８．１２５ｇ、無水クエン酸４．８７５ｇ、ポリアクリル酸系吸水性樹脂１４．５ｇ、セピオライト粉末５．２５ｇ、および炭酸ナトリウム過酸化水素化物０．８ｇからなる混合粉末３３．５５ｇを用いたこと以外は、実施例１と同様にして、ゲル状組成物を形成した。ゲル時間は４分であった。得られたゲル状組成物の表面は、平坦（亜塩素酸塩水性液への実施例用ゲル化活性剤の添加による表面の局所的な盛り上がりがなく、目視上平坦）であった。また、ゲル状組成物の表面には、割れは発生しなかった。
【００８７】
次いで、実施例１と同様にして、上記の亜塩素酸塩水性液への上記の実施例用ゲル化活性剤の添加から所定時間経過後に、発生する二酸化塩素ガスの濃度を測定して、その経時変化を調べた。結果を表７および図９にまとめた。
【００８８】
【表７】
2019064849.tif 000009
【００８９】
（実施例５）
実施例用ゲル化活性剤としてクエン酸三ナトリウム・二水和物８．１２５ｇ、無水クエン酸４．８７５ｇ、ポリアクリル酸系吸水性樹脂１４．５ｇ、セピオライト粉末５．２５ｇ、および炭酸ナトリウム過酸化水素化物０．６ｇからなる混合粉末３３．３５ｇを用いたこと以外は、実施例４と同様にして、ゲル状組成物を形成した。ゲル時間は４分であった。得られたゲル状組成物の表面は、平坦（亜塩素酸塩水性液への実施例用ゲル化活性剤の添加による表面の局所的な盛り上がりがなく、目視上平坦）であった。また、ゲル状組成物の表面には、割れは発生しなかった。
【００９０】
次いで、実施例１と同様にして、上記の亜塩素酸塩水性液への上記の実施例用ゲル化活性剤の添加から所定時間経過後に、発生する二酸化塩素ガスの濃度を測定して、その経時変化を調べた。結果を表８および図１０にまとめた。
【００９１】
【表８】
2019064849.tif 000010
【００９２】
（実施例６）
実施例用ゲル化活性剤としてクエン酸三ナトリウム・二水和物８．１２５ｇ、無水クエン酸４．８７５ｇ、ポリアクリル酸系吸水性樹脂１４．５ｇ、セピオライト粉末５．２５ｇ、および炭酸ナトリウム過酸化水素化物０．３ｇからなる混合粉末３３．０５ｇを用いたこと以外は、実施例４と同様にして、ゲル状組成物を形成した。ゲル時間は４分であった。得られたゲル状組成物の表面は、平坦（亜塩素酸塩水性液への実施例用ゲル化活性剤の添加による表面の局所的な盛り上がりがなく、目視上平坦）であった。また、ゲル状組成物の表面には、割れは発生しなかった。
【００９３】
次いで、実施例１と同様にして、上記の亜塩素酸塩水性液への上記の実施例用ゲル化活性剤の添加から所定時間経過後に、発生する二酸化塩素ガスの濃度を測定して、その経時変化を調べた。結果を表９および図１１にまとめた。
【００９４】
【表９】
2019064849.tif 000011
【００９５】
表７〜表９および図９〜図１１を参照して、実施例４〜実施例６のいずれにおいても、亜塩素酸塩水性液への実施例用ゲル化活性剤の添加後の７２時間経過（特に２４時間経過）までの初期の二酸化塩素ガスの急激な発生が抑制され、少なくとも７２０時間（３０日）の長期間持続してかつ安定して二酸化塩素ガスの発生が可能な二酸化塩素ガスの発生方法、二酸化塩素ガス発生用キットおよびゲル状組成物が得られた。
【００９６】
今回開示された実施の形態および実施例はすべての点で例示であって、制限的なものではないと考えられるべきである。本発明の範囲は上記した実施の形態および実施例ではなく特許請求の範囲によって示され、特許請求の範囲と均等の意味、および範囲内でのすべての変更が含まれることが意図される。
【符号の説明】
【００９７】
１  二酸化塩素ガス発生用容器、１ｗ，１０ｗ，２２ｗ，２４ｗ  開口部、２  ビーカ、３  プラスチック製フィルム、４  北川式検知管、１０  プラスチック製本体、２０  プラスチック製蓋、２２  内蓋、２４  外蓋、３０  ゲル状組成物、３０ｓ  表面。
【図１】
2019064849.tif 000012
【図２】
2019064849.tif 000013
【図３】
2019064849.tif 000014
【図４】
2019064849.tif 000015
【図５】
2019064849.tif 000016
【図６】
2019064849.tif 000017
【図７】
2019064849.tif 000018
【図８】
2019064849.tif 000019
【図９】
2019064849.tif 000020
【図１０】
2019064849.tif 000021
【図１１】
2019064849.tif 000022
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
亜塩素酸塩水性液に、ガス発生剤、炭酸塩および過酸化水素を含むガス発生調整剤、セピオライト、モンモリロナイト、ケイソウ土、タルクおよびゼオライトからなる群から選ばれる少なくともいずれかであるガス発生調節剤、ならびに吸水性樹脂を含むゲル化活性剤を添加して得られるゲル状組成物から、二酸化塩素ガスを持続的に発生させる二酸化塩素ガスの発生方法であって、
前記ゲル化活性剤の添加から２４時間経過するまでは、発生する前記二酸化塩素ガスの濃度を抑制する二酸化塩素ガスの発生方法。
【請求項２】
前記ゲル状組成物は、前記二酸化塩素ガスが発生する表面が平坦であり前記表面の表面積を一定に維持する請求項１に記載の二酸化塩素ガスの発生方法。
【請求項３】
前記亜塩素酸塩水性液は、前記ゲル化活性剤が添加される前には、気密性容器に封入されている請求項１または請求項２に記載の二酸化塩素ガスの発生方法。
【請求項４】
前記ゲル化活性剤は、前記亜塩素酸塩水性液に添加する前には、気密性容器に封入されている請求項１または請求項２に記載の二酸化塩素ガスの発生方法。
【請求項５】
亜塩素酸塩水性液を含むＡ剤と、ガス発生剤、炭酸塩および過酸化水素を含むガス発生調整剤、セピオライト、モンモリロナイト、ケイソウ土、タルクおよびゼオライトからなる群から選ばれる少なくともいずれかであるガス発生調節剤、ならびに吸水性樹脂を含むゲル化活性剤を含むＢ剤と、で構成され、前記Ａ剤に前記Ｂ剤を添加することにより得られるゲル状組成物から、二酸化塩素ガスを持続的に発生させる二酸化塩素ガス発生用キットであって、
前記ゲル化活性剤の添加から２４時間経過するまでは、発生する前記二酸化塩素ガスの濃度を抑制する二酸化塩素ガス発生用キット。
【請求項６】
亜塩素酸塩水性液と、ガス発生剤、炭酸塩および過酸化水素を含むガス発生調整剤、セピオライト、モンモリロナイト、ケイソウ土、タルクおよびゼオライトからなる群から選ばれる少なくともいずれかであるガス発生調節剤、ならびに吸水性樹脂を含むゲル化活性剤と、を含み、二酸化塩素ガスを持続的に発生させるゲル状組成物であって、
前記ゲル化活性剤の添加から２４時間経過するまでは、発生する前記二酸化塩素ガスの濃度を抑制するゲル状組成物。
【請求項７】
前記二酸化塩素ガスが発生する表面が平坦であり前記表面の表面積を一定に維持する請求項６に記載のゲル状組成物。